【手続補正書】
【提出日】平成18年12月15日(2006.12.15)
【手続補正１】
【補正対象書類名】明細書
【補正対象項目名】特許請求の範囲
【補正方法】変更
【補正の内容】
【特許請求の範囲】
【請求項１】  内部にチューブ（２６，１２６）を除去可能に保持するための流体導管カップリングであって、
円周方向の側壁（１４，１１４）を備えた内穴（１２，１１２）をもつ外側ハウジング（１０，１１０）と、
前記内穴（１２，１１２）内に形成され、軸方向の内側部および軸方向の外側部を有しているスペーサブッシュ（１８，１１８，１１８ａ、１７８，１８８）と、
前記内穴（１２，１１２）内にあって、前記内穴（１２，１１２）内に内向きに突出する内側縁部を有しかつ半径方向および軸方向内側部に突出して円周方向に隔置された把持歯（２９，１２９）を有する第１把持リング（２７，１２７、１７７）とを有し、
該第１把持リング（２７，１２７、１７７）は、前記スペーサブッシュ（１８，１１８，１７８，１８８）の軸方向の外側部に隣接しており、かつ前記第１把持リング（２７，１２７、１７７）はその回転移動を排除するために前記外側ハウジング（１０，１１０）に保持されており、
前記スペーサブッシュ（１８，１１８，１７８，１８８）が、円周方向に隔置された溝（３３，１３３）を有しており、前記第１把持リング（２７，１２７、１７７）の前記把持歯（２９，１２９）が前記溝（３３，１３３）内に整列して適合していることを特徴とする流体導管カップリング。
【請求項２】  請求項第１項に記載の流体導管カップリングであって、前記内穴（１２，１１２）内に形成され、前記スペーサブッシュ（１１８，１８８）の軸方向内側部に配置されシール（１５、１１５）をさらに含むことを特徴とする流体導管カップリング。
【請求項３】  請求項第２項に記載の流体導管カップリングであって、前記スペーサブッシュ（１８，１１８ａ）の前記軸方向内側部は、前記シール（１５，１１５）と係合することを特徴とする流体導管カップリング。
【請求項４】  請求項第２項に記載の流体導管カップリングであって、前記スペーサブッシュ（１８，１１８）の軸方向内側部に配置されかつ前記シール（１１５）の前記軸方向外側部に設けられた第２把持リング（１３２，１７７）をさらに有し、該第２把持リング（１３２，１７７）は、前記内穴（１１２）の内向きに突出した内縁部を持ちかつ内向きに突出し円周方向に隔置された把持歯（１２９）を有することを特徴とする流体導管カップリング。
【請求項５】  請求項第４項に記載の流体導管カップリングであって、前記第２把持リング（１３２，１７７）は、前記スペーサブッシュ（１１８，１８８）の軸方向内側部に対向しかつ前記シール（１１５）に隣接していることを特徴とする流体導管カップリング。
【請求項６】  請求項第１項に記載の流体導管カップリングであって、前記内穴（１２，１１２）内に、シール支持面（１６，１１６）及びシール（１５，１１５）をさらに有し、前記シール（１５，１１５）は前記シール支持面（１６，１１６）に係合し、前記スペーサブッシュ（１８、１１８，１１８ａ、１７８、１８８）がシール支持面（１６，１１６）内の前記シール（１５，１１５）を保持することを特徴とする流体導管カップリング。
【請求項７】  請求項第１項に記載の流体導管カップリングであって、前記第１把持リング（２７，１２７、１７７）の軸方向内側に形成された前記内穴（１１２）内に第２把持リング（１３２，１７７）をさらに有し、前記第１把持リング（２７，１２７、１７７）及び前記第２把持リング（１３２，１７７）は、前記スペーサブッシュ（１１８，１１８ａ，１７８、１８８）によって分離され、前記第２把持リング（１３２，１８７）は、前記内穴（１１２）の内向きに突出した内縁部を持つ内向きに突出し円周方向に隔置された把持歯（１２９）を有することを特徴とする流体導管カップリング。
【請求項８】  請求項第１項に記載の流体導管カップリングであって、前記内穴（１１２）内に形成され、前記第１把持リング（２７，１２７、１７７）の軸方向外側部に他のスペーサブッシュ（１１８，１７８）と一緒に配置された第２把持リング（１３２，１７７）をさらに有し、前記第２把持リング（１２７）は、前記内穴（１１２）に向きに突出した内縁部を持ち内向きに突出し円周方向に隔置された把持歯（１２９）を有することを特徴とする流体導管カップリング。
【請求項９】  請求項第８項に記載の流体導管カップリングであって、前記他のスペーサブッシュ（１１８，１７８）は、円周方向に隔置された溝（１３３）を有し、前記第２把持リング（１２７）の前記把持歯（１２９）は前記他のスペーサブッシュ（１１８，１７８）の前記溝（１３３）内に整列して係合していることを特徴とする流体導管カップリング。
【請求項１０】  請求項第８項に記載の流体導管カップリングであって、前記第２把持リング（１２７）の軸方向外側部に配置されたスペーサブッシュ（１１８）をさらに有することを特徴とする流体導管カップリング。
【請求項１１】  請求項第８項に記載の流体導管カップリングであって、前記第１把持リング（１７７）の軸方向内側部に形成された前記内穴（１１２）内に第３把持リング（１８７）をさらに有し、前記第１把持リング（１７７）及び前記第３把持リング（１８７）は前記スペーサブッシュ（１８８）によって分離され、前記第３把持リング（１８７）は前記内穴（１１２）の内向きに突出した内縁部を持つ内向きに突出し円周方向に隔置された把持歯（１２９）を有することを特徴とする流体導管カップリング。
【請求項１２】  請求項第１１項に記載の流体導管カップリングであって、前記内穴（１１２）内に形成され、前記第３把持リング（１８７）の軸方向内側部に配置されたシール（１５，１１５）を更に有することを特徴とする流体導管カップリング。
【請求項１３】  請求項第１項に記載の流体導管カップリングであって、前記内穴（１２，１１２）内に前記スペーサブッシュ（１８、１１８、１１８ａ，１７８，１８８）を固着するために前記外側ハウジング（１０，１１０）に取付けられた端部ブッシュ（２０、１２０）をさらに有ことを特徴とする流体導管カップリング。
【請求項１４】  請求項第１３項に記載の流体導管カップリングであって、前記前記内穴（１２，１１２）は、円周方向に隔置された内側リブ（３５、１３５）を有し、前記端部ブッシュ（２０、１２０）は、円周方向に隔置された間隔をおいた案内リブ（２８、１２８）を有することを特徴とする流体導管カップリング。
【請求項１５】  請求項第１３項に記載の流体導管カップリングであって、前記端部ブッシュ（２０、１２０）は、前記外側ハウジング（１０，１１０）に溶接によって固着されていることを特徴とする流体導管カップリング。
【請求項１６】  請求項第１項に記載の流体導管カップリングであって、前記第１把持リング（２７，１２７、１７７）がその周囲に平坦部（３０，１３０）を有し、前記スペーサブッシュ（１８，１１８，１１８ａ，１７８，１８８）がその周囲に平坦部（３６，１３６）を有し、前記平坦部（３０、３６、１３０、１３６）が前記外側ハウジング（１０，１１０）の前記内穴（１２，１１２）内の嵌め合い隆起部（３１、１３１）と係合することを特徴とする流体導管カップリング。
【請求項１７】  請求項第１項に記載の流体導管カップリングであって、前記流体導管カップリングに挿入された前記チューブ（２６，１２６）を螺旋戻し及び除去をするために軸方向外向き力及び回転力を同時に受けたときに、前記第１把持リング（２７，１２７、１７７）の前記把持歯（２９，１２９）が捩れるに十分な可撓性を有していることを特徴とする流体導管カップリング。
【請求項１８】  請求項第１項に記載の流体導管カップリングであって、前記第１把持リング（２７，１２７、１７７）の前記把持歯（２９，１２９）が、前記流体導管カップリングに挿入された前記チューブ（２６，１２６）をねじ戻し及び除去をするために、永久的に捻られていることを特徴とする流体導管カップリング。
【請求項１９】  請求項第１項に記載の流体導管カップリングであって、前記溝（３３，１３３）が、把持歯（２９，１２９）を捻ることを可能にし、前記把持歯（２９，１２９）の縁部に摩擦を発生させて前記流体導管カップリングに挿入された前記チューブ（２６，１２６）のねじ戻し及び除去を行うことを特徴とする流体導管カップリング。